(57)【要約】【課題】プライバシー保護対策方法を適用した場合、プライバシー領域に関係する情報は既に処理され、マスキング画像にしているため、映像信号がネットワーク等を介して伝送される場合、プライバシーに関係する情報は既に削除されている。従って、画像の送信を受ける側では、その部分の詳細画像を入手できないという不都合がある。特に、犯罪の捜査等では、プライバシーに関係する情報であっても、用途を限定して情報を得たい場合があるが、画像の送信を受ける側では、画像の選択ができないという問題がある。【解決手段】監視端末側にＩＤを振り分け、特定のＩＤの監視端末からの画像送信要求に対してだけ、マスキング部分の画像データも伝送する。【選択図】　　　　図１
2004104314.tif 000002
【特許請求の範囲】
【請求項１】
複数の監視画像をネットワークを介して伝送し複数の監視端末で監視するネットワーク監視システムにおいて、上記監視端末からの送信要求に応じ、監視画像のプライバシー部分をマスキングした画像か、マスキングしない画像かを選択し、上記監視端末に伝送することを特徴としたネットワーク監視システム。
【請求項２】
請求項１記載の監視システムにおいて、特定の識別記号（以下ＩＤとする）をもつ監視端末からの画像送信要求に対してだけ、マスキング部分の画像データも伝送することを特徴としたネットワーク監視システム。
【請求項３】
請求項１記載の監視システムにおいて、ＩＤに応じてマスキング部分を変更し、所定の画像や文字情報を送信することを特徴としたネットワーク監視システム。
【請求項４】
請求項１乃至３記載の監視システムにおいて、前記監視端末を汎用のパソコンで構成することを特徴としたネットワーク監視システム。
【発明の詳細な説明】
【０００１】
【発明の属する技術分野】
本発明は、監視画像中のマスキング部分を特定ＩＤの監視者だけが見えるようにしたネットワーク監視システムに関するものである。
【０００２】
【従来の技術】
近年、犯罪防止のために監視カメラを街頭に設置するような事例が増えてきている。
【０００３】
これまでのビル内等屋内の監視と異なり、監視カメラを街頭に設置する場合は広範囲の地域に監視カメラを設置する必要があり、監視拠点までの映像信号の伝送や遠隔制御の設備が大規模になってしまう。
【０００４】
また、犯罪防止のため街頭監視を行なう場合には、撮像する対象に一般の民家や商店が含まれるため、プライバシーの保護のための対応が必要である。
【０００５】
前述の設備の大規模化に対する一解決策として、インターネット等の広域ネットワークを使って映像信号をデジタル化して伝送したり、遠隔制御を行なったりする方法がある。
【０００６】
また、前述のプライバシー保護対策の一解決策として、一般の民家や商店を撮像する対象から除外する領域として設定し、監視映像には前記除外領域をマスキングして見えなくすることでプライバシーを保護する方法がある。（例えば、特許文献１参照。）
【０００７】
【特許文献１】
特開２００１−６９４９４。
【０００８】
【発明が解決しようとする課題】
前述のプライバシー保護対策方法を適用した場合、プライバシー領域に関係する情報は既に処理され、マスキング画像にしているため、映像信号がネットワーク等を介して伝送される場合、プライバシー領域に関係する情報は既に削除されている。従って、画像の送信を受ける側では、その部分の詳細画像を入手できないという不都合がある。特に、犯罪の捜査等では、プライバシー領域に関係する情報であっても、用途を限定して情報を得たい場合があるが、画像の送信を受ける側では、その画像を得ることができない。
【０００９】
本発明は、これらの欠点を除去し、必要に応じてプライバシー領域に関する情報も得られるようにすることを目的とする。
【００１０】
【課題を解決するための手段】
本発明は、上記目的を達成するため、複数の監視画像をネットワークを介して伝送し複数の監視端末で監視するネットワーク監視システムにおいて、上記監視端末からの送信要求に応じ、監視画像のプライバシー部分をマスキングした画像か、マスキングしない画像かを選択し、上記監視端末に伝送するものである。
【００１１】
また、特定の識別記号（以下ＩＤとする）をもつ監視端末からの画像送信要求に対してだけ、マスキング部分の画像データも伝送するものである。
【００１２】
また、ＩＤに応じてマスキング部分を変更し、所定の画像や文字情報を送信するものである。
【００１３】
さらに、前記監視端末を汎用のパソコンで構成するものである。
すなわち、圧縮データ内のマスキングしたい部分を、伸張不可能なデータに置き換え、監視者のＩＤによって、マスキング部分を見えるようにしたり、マスキング部分を変更して、ネットワークに送信することでマスキング部分を特定ＩＤの監視者だけが見えるようにしたりするものである。
【００１４】
【発明の実施の形態】
本発明の一実施例の形態を図１、図２を使って説明する。図１は本発明の一実施例である監視システムの構成を示し、各監視場所に設置した監視カメラ１と、このカメラ映像を受信し、表示する複数の監視端末（パソコン）６、７、８、９でネットワークを構築する。
【００１５】
監視カメラ１は、映像信号を出力するカメラ部２と、映像信号を圧縮する画像圧縮部３と、圧縮データ内のマスキングしたい部分を伸張不可能なデータに置き換え、各監視端末（パソコン）からのＩＤを識別するマスキング制御部４と、圧縮したデータをネットワークへ伝送するネットワークインターフェース部５を有する。
【００１６】
図２は、監視カメラ１内のマスキング制御部４の内部構成を示す図である。
抜き取り部４１は、圧縮画像からマスキング部分を抜き取り、加工する部分である。切り替え部４２は、抜き取り部４１で加工された圧縮画像か、マスキング部分を抜き取らない圧縮画像かを選択するものである。ＩＤ照合部４３は、ネットワークインターフェース部５から伝送された各パソコンのＩＤを照合するものである。
【００１７】
監視カメラ１では、カメラ部２により、撮像された被写体が映像信号に変換され、画像圧縮部３へ出力される。画像圧縮部３では、前記映像信号が所定の方法で圧縮され、マスキング制御部４へ出力される。マスキング制御部４では、ＩＤ照合部４３により画像送信要求のあったパソコンが持つＩＤがマスキングなしの画像の送出を許可するものか否か判断され、抜き取り部４１と切り替え部４２が制御される。
【００１８】
例えば、マスキングなしの画像送出を許可するＩＤ１を持つパソコン６から画像送信要求があった場合には、切り替え部４２がＩＤ照合部４３により制御され、画像圧縮部３から出力される圧縮された画像データをそのままネットワークインターフェース部５へ出力する。ネットワークインターフェース部５から前記ネットワークを介し、伝送された前記画像データをパソコン６側で圧縮データを伸張するとマスキング無しの状態で表示される。
【００１９】
また、マスキングなしの画像送出を許可しないＩＤ２を持つパソコン７から画像送信要求があった場合には、ＩＤ照合部４３により抜き取り部４１が制御され圧縮した画像データ内のマスキングしたい部分を伸張不可能なデータに置き換え、さらに切り替え部４２が制御され抜き取り部４１の出力がネットワークインターフェース部５へ出力される。ネットワークインターフェース部５から前記ネットワークを介し伝送された、前記画像データをパソコン７側で伸張してもマスキングした部分は表示できなくなる。
【００２０】
同様に、ＩＤ３を持つパソコン８、ＩＤ４を持つパソコン９から送信要求があった場合には、ＩＤ照合部４３で判断されたＩＤ３およびＩＤ４に応じて、抜き取り部４１が制御され、マスキング部分をパソコン８とパソコン９とで異なる画像に変更し、さらに切り替え部４２が制御され抜き取り部４１の出力がネットワークインターフェース部５へ出力される。ネットワークインターフェース部５から前記ネットワークを介し伝送された、前記画像データはパソコン８とパソコン９とではマスキング部分が異なる画像が伝送される。
【００２１】
パソコンのＩＤに応じてマスキング部分を異なる画像に変更する例としては、パソコン８は赤や緑の色付き、パソコン９は監視カメラ１の動作状態や故障診断などの文字情報をマスキング部分へ表示する等のことが考えられる。
【００２２】
さらに、上記に述べたようなＩＤによる判別方法には各種のものが考えられる。
【００２３】
例えば、ネットワーク上の通信にＴＣＰ／ＩＰプロトコルを使う場合には、ＩＰ（Ｉｎｔｅｒｎｅｔ　Ｐｒｏｔｏｃｏｌ）アドレスをＩＤとして用いることが考えられる。インターネット等で用いられるＴＣＰ／ＩＰプロトコルでは、ネットワーク上の機器同士の通信先を特定する目的で、ＩＰアドレスを重複しないようにネットワーク上の各機器に割り当てる。つまり監視カメラ１には１９２．１６８．０．１、パソコン６には１９２．１６８．０．２、というように機器ごとにそれぞれ異なるＩＰアドレスが割り当てられ、なおかつ通信時のＩＰアドレスを判別することで通信先の機器を判別できるのである。
【００２４】
すなわち監視カメラ１が、特定のＩＰアドレスをもつパソコン、例えばパソコン６に割り当てられたＩＰアドレス、１９２．１６８．０．２からの画像送信要求を受け取った場合のみ、監視カメラ１からマスキング部分の画像データを置き換えない状態の画像データが前記特定のＩＰアドレスをもつパソコンへ伝送される。
【００２５】
また、ＩＰアドレスを用いず、パソコン側に所定の符号を用いたＩＤを持たせ、画像送信要求時に前記所定の符号を用いたＩＤを送信する方法もある。
【００２６】
例えば、パソコン６には”００１”、パソコン７には”００２”といった数字の組み合わせで表されるＩＤを割り当て、画像送信要求時に監視カメラ１へ送信することで、監視カメラ１はどのパソコンからの画像送信要求なのかを判別できるのである。
【００２７】
さらに、前記実施例においてはマスキングなしの画像送出を許可しない場合でもパソコン側にＩＤの割り当てを必要としているが、ＩＤが割り当てられたパソコンからの画像送信要求にはマスキングなしの画像送出を許可し、ＩＤが割り当てられていないパソコンからの画像送信要求には、許可しない方法も考えられる。
【００２８】
なお、前記３種類の方法は、ＩＤによる判別方法を限定するものではないことは言うまでも無い。
【００２９】
また、前記実施例においては、監視カメラが１台の構成で説明をしたが監視カメラがネットワーク上に複数接続される構成でもよい。
【００３０】
【発明の効果】
マスキング部分が、特定ＩＤの監視者だけが見えるようになる。
【００３１】
監視者ごとに、マスキング部分を変更できる。
【図面の簡単な説明】
【図１】本発明の一実施形態によるネットワーク監視システムの構成を示すブロック図。
【図２】監視カメラ１内のマスキング制御部４の内部構成を示す図。
【符号の説明】
１：監視カメラ、２：カメラ部、３：画像圧縮部、４：マスキング制御部
５：ネットワークインターフェース部、６：パソコン
７：パソコン、８：パソコン、９：パソコン
４１：抜き取り部、４２：切り替え部、４３：ＩＤ照合部
【図１】
2004104314.tif 000003
【図２】
2004104314.tif 000004